(57)【特許請求の範囲】
【請求項１】
建築物のベランダ床面とベランダ天井壁とベランダ手摺とを備えたベランダに設置される工事用足場であって、
前記工事用足場は、基枠体部と、作業台支持部と、作業台部と、を備え、
前記基枠体部は、前記ベランダ手摺より前記ベランダの室内側に配置され、前記ベランダ床面に当接するベース部と、前記ベランダ天井壁側に配置され前記ベランダ天井壁と当接可能な押圧部と、前記ベース部と前記押圧部との間に配置される縦支持部と、を有し、
前記作業台支持部は、前記縦支持部に支持され前記ベランダ手摺よりベランダの室外側に延びて配設され、
前記作業台部は、前記作業台支持部に支持され、
前記作業台支持部を上下方向に沿った方向を回動軸として前記ベランダの室内側に回動可能とする回動手段を有していることを特徴とする工事用足場。
【請求項２】
前記縦支持部は、前記ベース部の上面と対向する底板部を有し、
前記回動手段は、前記底板部と、前記ベース部とが第一の軸部によって軸支されて構成されていることを特徴とする請求項１記載の工事用足場。
【請求項３】
前記作業台支持部は、前記縦支持部に支持される支持枠と、前記支持枠に支持され前記作業台部の下面と対向する作業台支持板と、を有し、
前記作業台部を上下方向に沿った方向を回動軸として回動可能とする作業台回動手段を有し、
前記作業台回動手段は、前記作業台部と、前記作業台支持板とが第二の軸部によって軸支されて構成されていることを特徴とする請求項２記載の工事用足場。
【請求項４】
前記回動手段には、前記作業台支持部の回動を停止させる第一のストッパが配設され、
前記第一のストッパは、前記縦支持部と前記ベース部とのいずれか一方に、第一の係合部が配設され、他方に前記第一の係合部と係合可能な第一の被係合部が配設され、
前記第一の係合部と、第一の被係合部とを係合させることにより前記作業台支持部の回動を停止させることを特徴とする請求項２記載の工事用足場。
【請求項５】
前記回動手段には、前記作業台支持部の回動を停止させる第一のストッパが配設され、
前記第一のストッパは、前記縦支持部と前記ベース部とのいずれか一方に、第一の係合部が配設され、他方に前記第一の係合部と係合可能な第一の被係合部が配設され、
前記第一の係合部と、第一の被係合部とを係合させることにより前記作業台支持部の回動を停止させ、
前記作業台回動手段には、前記作業台部の回動を停止させる第二のストッパが配設され、
前記第二のストッパは、前記作業台部と前記作業台支持板とのいずれか一方に、第二の係合部が配設され、他方に前記第二の係合部と係合可能な第二の被係合部が配設され、
前記第二の係合部と、第二の被係合部とを係合させることにより前記作業台部の回動を停止させることを特徴とする請求項３記載の工事用足場。
【発明の詳細な説明】
【技術分野】
【０００１】
清掃、改修作業を行なう住宅に設置する工事用足場に関する。
【背景技術】
【０００２】
従来の多階層住宅のベランダに設置する工事用足場として、本出願人の出願による特許文献１があった。この工事用足場は、ベランダ床面に当接する区分を含む下部区域と、ベランダ天井壁に係止する区分を含む上部区域と、ベランダ側壁から室外側に突出する区分を含む側部区域とを備えていた。
【０００３】
そして、この工事用足場は、下部区域に配置される下部枠体と、上部区域と側部区域にまたがる上部枠体とを備え、下部枠体はベランダ床面に接地するキャスタを備え、上部枠体の上部には係止部材ユニットが装着されていた。係止部材ユニットの係止部材をベランダ天井壁に面接触で押し当てることにより、ベランダ床面とベランダ天井壁との間で工事用足場を固く支持していた。
【先行技術文献】
【特許文献】
【０００４】
【特許文献１】特開２０１０−５９６１４号公報
【発明の概要】
【発明が解決しようとする課題】
【０００５】
しかし、上記の工事用足場では、雨といが上下方向に沿ってベランダ手摺付近に配設されているような場合には、工事用足場をベランダ内で移動させようとすると、室外側に突出する上部枠体が雨といと干渉するため、工事用足場全体を回転させるか、分解、組立を行なうか、しなければならず、ベランダ内の移動が困難となるおそれがあった。
【０００６】
本発明は、上記事情に鑑み、工事用足場の室外側に突出する部分と干渉する障害物がラベンダ手摺付近に配設されている場合でもベランダ内の移動を容易にする工事用足場を提供するものである。
【課題を解決するための手段】
【０００７】
請求項１記載の発明では、工事用足場は、基枠体部と、作業台支持部と、作業台部と、を備え、基枠体部は、ベランダ手摺よりベランダの室内側に配置され、ベランダ床面に当接するベース部と、ベランダ天井壁側に配置されベランダ天井壁と当接可能な押圧部と、ベース部と押圧部との間に配置される縦支持部と、を有し、作業台支持部は、縦支持部に支持されベランダ手摺よりベランダの室外側に延びて配設され、作業台部は、作業台支持部に支持され、作業台支持部を上下方向に沿った方向を回動軸としてベランダの室内側に回動可能とする回動手段を有している。
【０００８】
この回動手段により、作業台支持部を回動させることによって、工事用足場のベランダ手摺よりベランダの室外側に突出した部分をベランダ手摺よりベランダの室内側に配置可能となり、工事用足場の室外側に突出する部分と干渉する障害物がベランダ手摺付近に配設されている場合でも、工事用足場のベランダ内での移動を容易にすることができる。
【０００９】
請求項２記載の発明では、縦支持部を、ベース部の上面と対向する底板部を有する構成とし、回動手段を、底板部と、ベース部とが第一の軸部によって軸支される構成とし、縦支持部を回動可能にすることによって、縦支持部に支持された作業台支持部を回動させ、工事用足場のベランダ内での移動を容易にしている。
【００１０】
請求項３記載の発明では、作業台支持部を、縦支持部に支持される支持枠と、支持枠に支持され作業台部の下面と対向する作業台支持板と、を有する構成とし、作業台部を上下方向に沿った方向を回動軸として回動可能とする作業台回動手段を有する構成とし、作業台回動手段を、作業台部と、作業台支持板とが第二の軸部によって軸支される構成としている。
【００１１】
これにより、作業台部を回動可能にすることによって、特に、作業台支持部及び作業台部をベランダ手摺よりベランダの室内側に配置した際、作業台部がベランダ室内側の壁面と干渉するような場合に、作業台部を回動させて干渉を防ぎ、工事用足場のベランダ内での移動を容易にすることができる。
【００１２】
請求項４記載の発明では、請求項２の発明において、回動手段に、作業台支持部の回動を停止させる第一のストッパを配設して、第一のストッパは、縦支持部とベース部とのいずれか一方に、第一の係合部が配設され、他方に第一の係合部と係合可能な第一の被係合部が配設され、第一の係合部と、第一の被係合部とを係合させることにより作業台支持部の回動を停止させることとしている。
【００１３】
これにより、作業を行なう際の位置及びベランダ内を移動する際の位置等の所定の位置に作業台支持部を停止可能となるので、工事用足場の姿勢を安定させることができ、作業時の安全性を高めることができる。
【００１４】
請求項５記載の発明では、請求項３の発明において、回動手段には、作業台支持部の回動を停止させる第一のストッパが配設され、第一のストッパは、縦支持部とベース部とのいずれか一方に、第一の係合部が配設され、他方に第一の係合部と係合可能な第一の被係合部が配設され、第一の係合部と、第一の被係合部とを係合させることにより作業台支持部の回動を停止させることとしている。
【００１５】
また、作業台回動手段には、作業台部の回動を停止させる第二のストッパが配設され、第二のストッパは、作業台部と作業台支持板とのいずれか一方に、第二の係合部が配設され、他方に第二の係合部と係合可能な第二の被係合部が配設され、第二の係合部と、第二の被係合部とを係合させることにより作業台部の回動を停止させることとしている。
【００１６】
これにより、作業を行なう際の位置及びベランダ内を移動する際の位置等の所定の位置に作業台支持部及び作業台部が停止可能となるので、工事用足場の姿勢を安定させることができ、作業時の安全性を高めることができる。
【発明の効果】
【００１７】
本発明の工事用足場では、工事用足場の室外側に突出する部分と干渉する障害物がベランダ手摺付近に配設されている場合でもベランダ内の移動を容易にすることができる。
【図面の簡単な説明】
【００１８】
【図１】本発明の第一の実施形態における工事用足場を設置した状態の斜視図である。
【図２】本発明の第一の実施形態における工事用足場の側面図である。
【図３】図１において基枠体部の上半分を省略した斜視図である。
【図４】本発明の第一の実施形態における回動手段の部分拡大断面図である。
【図５】本発明の第一の実施形態の第一の軸部及び第二の軸部の分解斜視図である。
【図６】本発明の第一の実施形態の回動手段のベース板部における構成を示す斜視図である。
【図７】本発明の第一の実施形態の第一のストッパ部の（ａ）部分拡大斜視図であり、（ｂ）部分拡大側面図である。
【図８】本発明の第一の実施形態の作業台回動手段の部分拡大断面図である。
【図９】本発明の第一の実施形態の作業台回動手段の作業台部における構成を示す斜視図である。
【図１０】本発明の第一の実施形態の第二のストッパ部の（ａ）部分拡大斜視図であり、（ｂ）部分拡大側面図である。
【図１１】本発明の第一の実施形態の工事用足場の動作説明図である。
【図１２】本発明の第一の実施形態の工事用足場の動作説明図である。
【図１３】本発明の第一の実施形態の工事用足場の動作説明図である。
【図１４】本発明の第一の実施形態の工事用足場の動作説明図である。
【図１５】本発明の第二の実施形態の工事用足場の側面図である。
【図１６】本発明の第三の実施形態の工事用足場の側面図である。
【発明を実施するための形態】
【００１９】
本発明の工事用足場の第一の実施形態について図面に基づいて説明する。
【００２０】
工事用足場１は、図１、２に示すように、建築物２のベランダ３に設置されている。建築物２のベランダ３は、それぞれベランダ床面３ａと、ベランダ天井壁３ｂと、ベランダ手摺３ｃと、ベランダ室内側壁３ｇと、を備えている。
【００２１】
以下の説明においては、図１における設置状態を基準として、ベランダ天井壁３ｂ側を上とし、ベランダ床面３ａ側を下とし、ベランダ３の幅方向に沿って室内に向かう側を室内側３ｅ（後ろ側）、その反対側を室外側３ｆ（前側）とし、室内側３ｅ側から見て向かって左側を左、向かって右側を右、とする。
【００２２】
工事用足場１は、図１、２、３に示すように、基枠体部４と、基枠体部４に支持されベランダ手摺３ｃよりベランダ３の室外側３ｆに延びて配設される作業台支持部５と、作業台支持部５に支持される作業台部６と、作業台支持部５を回動可能とする回動手段７と、作業台部６を回動可能とする作業台回動手段８と、を備えている。
【００２３】
基枠体部４は、ベランダ手摺３ｃよりベランダ３の室内側３ｅに配置され、ベランダ床面３ａに当接するベース部１１と、ベランダ天井壁３ｂ側に配置されベランダ天井壁３ｂと当接可能な押圧部１２と、ベース部１１と押圧部１２との間に配置される縦支持部１３と、を有している。
【００２４】
ベース部１１は、矩形状のベース板部１１ａと、ベランダ床面３ａと当接する床面当接部１１ｂと、を有している。
【００２５】
ベース板部１１ａは、矩形平板状に形成され、下面の四隅部分にキャスタ１１ｃが回動可能に取り付けられ、平面視における中央部に上下方向に貫通して後述する第一の軸部１８が挿通される軸孔１１ｄが形成されている。
【００２６】
床面当接部１１ｂは、アウトリガーが用いられ、ベース板部１１ａの前側の角部分に上下方向を軸として回動可能に装着されているとともに、そのジャッキ部分がベース板部１１ａの外周縁の外側でベランダ床面３ａと当接するように形成されている。
【００２７】
縦支持部１３は、ベース板部１１ａの上面１１ｅと対向する底板部１３１と、底板部１３１の左右方向の端部から上方向に延設された一対の縦支持枠１３２と、各縦支持枠１３２の前側の端部を連結する補助支持枠１３３と、を有している。
【００２８】
底板部１３１は、矩形平板状に形成され、平面視において前後方向の長さをベース板部１１ａと略同一に、左右方向の長さをベース板部１１ａより短く形成されている。底板部１３１は、後述する連結ピンが挿通される上下方向に貫通した挿通孔１３１ａを、左右方向の端部に二か所有している。底板部１３１の平面視における中央部には、上下方向に貫通して後述する第一の軸部１８が挿通される軸孔１３１ｂが形成されている。
【００２９】
縦支持枠１３２は、ベランダ床面３ａ側に配置される下縦支持枠１３２ａと、ベランダ天井壁３ｂ側に配置される上縦支持枠１３２ｂと、を備えている。
【００３０】
下縦支持枠１３２ａは、前後一対の縦柱１３２ｃと上下一対の横柱１３２ｄとを有し、矩形枠状に形成されている。側面視において下縦支持枠１３２ａが互いに対向する面の下縦支持枠１３２ａの上側の横柱１３２ｄの下方には、上側の横柱１３２ｄに対して平行に配設された補助柱１３２ｅが設けられている。各横柱１３２ｄには、上下方向に貫通する挿通孔１３２ｆが前後方向の端部にそれぞれ形成されている。前側の縦柱１３２ｃの上下方向における略中央部と及び下側の端部には、前後方向に貫通する挿通孔１３２ｇがそれぞれ形成されている。
【００３１】
底板部１３１の挿通孔１３１ａと下縦支持枠１３２ａの下側の横柱１３２ｄの挿通孔１３２ｆとを相互に対向させ、それらの相互に対向する挿通孔１３１ａと挿通孔１３２ｆとを、連結ピンを挿通することによって、底板部１３１と下縦支持枠１３２ａが連結されている。
【００３２】
上縦支持枠１３２ｂは、前後一対の縦柱１３２ｈと上下一対の横柱１３２ｉとを有し，矩形枠状に形成されている。側面視において上縦支持枠１３２ｂが互いに対向する面の上側の横柱１３２ｉの下方には、上側の横柱１３２ｉに対して平行に配設された補助柱１３２ｊが設けられている。下側の各横柱１３２ｉには、上下方向に貫通する挿通孔１３２ｋが前後方向の端部にそれぞれ形成されている。上側の各横柱１３２ｉには、左右方向に貫通する挿通孔１３２ｌが中央部にそれぞれ複数形成されている。各補助柱１３２ｊには、左右方向に貫通する挿通孔１３２ｍが前後方向の中央部にそれぞれ形成されている。
【００３３】
連結部材９は、前面視において断面がコ字状で前後方向に沿った長さが横柱１３２ｄ及び横柱１３２ｉと略同一の長さに形成され、連結部材９の上下方向に直交する面には、上下方向に沿って貫通する連結孔９ａがそれぞれ二か所形成されている。
【００３４】
上縦支持枠１３２ｂの下側の横柱１３２ｉの挿通孔１３２ｋと下縦支持枠１３２ａの上側の横柱１３２ｄの挿通孔１３２ｆとを相互に対向させるとともに、連結部材９の上下方向に直交する面の間に下縦支持枠１３２ａの上側の横柱１３２ｄ及び上縦支持枠１３２ｂ下側の横柱１３２ｉを配置して、連結孔９ａと挿通孔１３２ｋと挿通孔１３２ｆとを対向させ、それらの相互に対向する挿通孔１３２ｋと挿通孔１３２ｆと連結孔９ａとを、連結ピンを挿通することによって、下縦支持枠１３２ａと上縦支持枠１３２ｂとが連結されている。
【００３５】
補助支持枠１３３は、左右一対の縦柱１３３ａと上下一対の横柱１３３ｂとを有して矩形枠状に形成され、正面視において対角を結んでＸ字状に形成された格子部１３３ｃを有している。
【００３６】
補助支持枠１３３の縦柱１３３ａの上下の端部には、平面視において断面コ字状に形成され、縦柱１３２ｃの挿通孔１３２ｇと係合可能に形成された係合部材１４が縦柱１３２ｃの挿通孔１３２ｇに対応する位置に四か所配設されている。係合部材１４の前後方向に直交する面には、前後方向に沿って貫通する係合孔１４ａが、それぞれ形成されている。
【００３７】
縦柱１３２ｃの挿通孔１３２ｇが、縦柱１３２ｃの外側に嵌められた係合部材１４の係合孔１４ａと相互に対向され、それらの相互に対向する挿通孔１３２ｇと、係合孔１４ａとを、図示しない連結ピンを挿通することによって補助支持枠１３３と一対の下縦支持枠１３２ａとがそれぞれ連結されている。
【００３８】
押圧部１２は、第一の押圧部１２１（特許請求の範囲の押圧部に相当する。）と、第二の押圧部１２２と、で構成されている。
【００３９】
第一の押圧部１２１は、上縦支持枠１３２ｂの補助柱１３２ｊに支持され左右方向に沿って互いに対向して配置された一対のジャッキ部１２１ａと、各ジャッキ部１２１ａにベランダ天井壁３ｂに対して昇降可能にそれぞれ支持されベランダ天井壁３ｂを押圧する第一の押圧板部１２１ｂと、一対のジャッキ部１２１ａを支持する台座部１２１ｃと、を備えている。
【００４０】
ジャッキ部１２１ａは、パンタグラフジャッキが用いられ、リンク部１２１ｄと、調節ネジ１２１ｅと、調節ネジ１２１ｅの前端部に装着されるハンドル１２１ｆと、を有している。ジャッキ部１２１ａは、リンク部１２１ｄの上端部で第一の押圧板部１２１ｂの下面にそれぞれ連結され、第一の押圧板部１２１ｂを支持している。
【００４１】
第一の押圧板部１２１ｂは、弾性を有した部材で前後方向に沿って棒状に形成され、中央部の下側でジャッキ部１２１ａにそれぞれ支持されている。
【００４２】
台座部１２１ｃは、一対の上縦支持枠１３２ｂを連結する連結板１２１ｇと、上縦支持枠１３２ｂの補助柱１３２ｊと係合可能に形成されたブラケット１２１ｈと、を有している。
【００４３】
連結板１２１ｇは、矩形平板状に形成され左右の端部の上面にジャッキ部１２１ａが装着されている。
【００４４】
ブラケット１２１ｈは、連結板１２１ｇの左右の端部の下面に装着され、正面視において下方が開放した断面コ字状に形成されている。ブラケット１２１ｈの左右の面には左右方向に沿って挿通孔１２１ｉが形成されている。
【００４５】
補助柱１３２ｊの挿通孔１３２ｍが、縦柱１３２ｃの外側に嵌められたブラケット１２１ｈの挿通孔１２１ｉと相互に対向され、それらの相互に対向する挿通孔１３２ｍと、挿通孔１２１ｉとを、連結ピンを挿通することによって台座部１２１ｃと上縦支持枠１３２ｂとがそれぞれ連結されている。
【００４６】
第二の押圧部１２２は、ベランダ天井壁３ｂを押圧する一対の第二の押圧板部１２２ａと、第二の押圧板部１２２ａを上下方向に移動させる棒ジャッキ部１２２ｂと、棒ジャッキ部１２２ｂを支持する一対の摺動部１２２ｃと、摺動部１２２ｃを内側で摺動させる外柱部１２２ｄと、を有している。
【００４７】
第二の押圧板部１２２ａは、弾性を有した部材で矩形平板状に形成され、第一の押圧板部１２１ｂより後ろ側に配設され、下面の中央部で棒ジャッキ部１２２ｂにそれぞれ装着されている。
【００４８】
棒ジャッキ部１２２ｂは、ネジが形成された棒状の本体部１２２ｉと、本体部１２２ｉと螺合するナット部１２２ｊと、を有している。棒ジャッキ部１２２ｂは、ナット部１２２ｊで摺動部１２２ｃの後端部に支持されている。
【００４９】
外柱部１２２ｄは、角筒状に形成されている。外柱部１２２ｄには、左右の面に、左右方向に沿って貫通する台座連結孔１２２ｅが、前後方向に沿って複数形成されている。外柱部１２２ｄの下面には、図示しない係合ブラケットが設けられ、上縦支持枠１３２ｂの上側の横柱１３２ｉの挿通孔１３２ｌに連結ピンを挿通させる等して支持されている。
【００５０】
摺動部１２２ｃは、角筒状で外柱部１２２ｄの内側に挿入可能な大きさに形成されている。摺動部１２２ｃには、左右の面に、左右方向に沿って貫通する台座連結孔１２２ｈが、前後方向に沿って複数形成されている。摺動部１２２ｃの後端部には、棒ジャッキ部１２２ｂが装着されている。
【００５１】
外柱部１２２ｄのいずれかの台座連結孔１２２ｅが、外柱部１２２ｄの内側に挿入された摺動部１２２ｃのいずれかの台座連結孔１２２ｈと相互に対向され、それらの相互に対向する台座連結孔１２２ｅと、台座連結孔１２２ｈとに、連結ピンを挿通することによって、外柱部１２２ｄと摺動部１２２ｃとが連結されている。
【００５２】
作業台支持部５は、左右方向に沿って配置される左右一対の支持枠５１と、支持枠５１を連結して作業台部６を支持する作業台支持板５２と、を備えている。
【００５３】
各支持枠５１は、矩形枠状に形成されて、後ろ側の上面を補助柱１３２ｅの下面と当接させて下縦支持枠１３２ａにボルト締め等でそれぞれ支持され、ベランダ手摺３ｃよりベランダ３の室外側３ｆに延びて配設されている。
【００５４】
各支持枠５１の上部の前側の左右の面には、左右方向に沿って突出して後述する前係合部５２ａと係合する突片５１ａがそれぞれ配設されている。各支持枠５１の上部の左右の面の後端部及び中央部に左右方向に沿って貫通する作業台連結孔５１ｂがそれぞれ形成されている。
【００５５】
作業台支持板５２は、矩形平板状に形成され、支持枠５１の前側の端部から下縦支持枠１３２ａの前側の縦柱１３２ｃまでの部分で架け渡されて、一対の支持枠５１を連結している。
【００５６】
作業台支持板５２の前側の左右の端面には、矩形平板状に形成され下方に延びる、支持枠５１の突片５１ａと係合可能に形成された前係合部５２ａがそれぞれ配設されている。前係合部５２ａには、後ろ側の辺から前側の辺に向かって切り欠かれた切り欠き５２ｂが、それぞれ設けられている。
【００５７】
作業台支持板５２の後端部及び中央部には、前面視において断面コ字状に形成され、支持枠５１と係合可能に形成された二対の後係合部５２ｃが配設されている。後係合部５２ｃの左右の面には、左右方向に沿って貫通する作業台連結孔５２ｄが、それぞれ形成されている。作業台支持板５２の平面視における中央部には、上下方向に貫通して後述する第二の軸部２３が挿通される軸孔５２ｅが形成されている。作業台支持板５２の軸孔５２ｅと後端縁との中間部分には、後述するロックレバー部２６ｃが挿通される挿通孔５２ｆが形成されている。作業台支持板５２の平面視における後ろ側の角部近傍には、後述する階段部１７と連結するための挿通孔５２ｇが形成されている。
【００５８】
作業台支持板５２の切り欠き５２ｂと支持枠５１の突片５１ａとを係合させるとともに、後係合部５２ｃの作業台連結孔５２ｄと支持枠５１の作業台連結孔５１ｂとを相互に対向させ、それらの相互に対向する作業台連結孔５２ｄと作業台連結孔５１ｂとに、連結ピンを挿通することによって、左右の支持枠５１と作業台支持板５２の左右の端部とが連結されている。
【００５９】
作業台部６は、矩形平板状に形成され、後述する第二の軸部２３を介して作業台支持部５の作業台支持板５２に支持されている。作業台部６は、外周縁部に形成された上下方向に貫通する挿通孔６１と、平面視における中央部に上下方向に貫通して後述する第二の軸部２３が挿通される軸孔６２が形成されている。
【００６０】
手摺部１５は、作業台部６の外周縁部から上側に延設されている。手摺部１５は、複数の縦支柱１５ａと、複数の横支柱１５ｂとで格子状に形成され、前格子１５ｃと、右格子１５ｄと、左格子１５ｅと、後格子１５ｆと、を有して平面視においてロ字状に形成されている。後格子１５ｆの中央部は、蝶番が配設され、それぞれ回動可能な出入り口として形成されている。
【００６１】
作業台部６の外周縁部に形成された挿通孔６１に相互に対向する縦支柱１５ａを挿入することによって、手摺部１５と作業台部６の左右の端部とが連結されている。
【００６２】
階段部１７は、作業台支持板５２に支持され、作業者がベランダ床面３ａと作業台支持板５２との間を移動可能に架け渡されて配置されている。
【００６３】
階段部１７は、上部に配設される踊り場板１７１と、踊り場板１７１から斜め下方に延びる一対の支持枠部１７２と、支持枠部１７２に支持される踏み板１７３と、を有している。
【００６４】
踊り場板１７１は、側面視における断面が略Ｌ字状に形成され、水平方向に沿った水平部１７１ａと、水平部１７１ａの端縁部から下方に延びる垂直部１７１ｂと、を有している。水平部１７１ａには、上下方向に貫通する連結孔１７１ｃが左右方向の両端部に形成されている。
【００６５】
支持枠部１７２は、図２、図３に示すように、上端部で垂直部１７１ｂに支持され、下端部で最下部の踏み板１７３に支持されている。
【００６６】
踏み板１７３は、断面Ｌ字状に形成され、左右の端部が一対の指示枠部１７２にそれぞれ支持されている。
【００６７】
水平部１７１ａの連結孔１７１ｃと、作業台支持板５２の挿通孔５２ｇとに、連結ピンをそれぞれ挿通することによって、階段部１７と、作業台支持板５２とが連結されている。
【００６８】
本発明の要部を以下に説明する。
【００６９】
回動手段７は、図４、図５、図６に示すように、第一の軸部１８と、ローラー部１９とで構成されている。
【００７０】
第一の軸部１８は、軸１８ａと、軸受１８ｂと、ワッシャー１８ｃと、ナット１８ｄと、で構成されている。
【００７１】
軸１８ａは、上端部と下端部にネジ部を有した円柱状に形成されている。
【００７２】
軸受１８ｂは、底板部１３１の軸孔１３１ｂとベース板部１１ａの軸孔１１ｄとを上下方向に挿通して、底板部１３１とベース板部１１ａとを架け渡すように配置されている。
【００７３】
軸受１８ｂの内側を軸１８ａが挿通して配置され、ベース板部１１ａの下面側でワッシャー１８ｃを介してナット１８ｄで締結され、底板部１３１の上面側でワッシャー１８ｃを介して二つのナット１８ｄが配置されてダブルナット止めされて、第一の軸部１８は底板部１３１とベース板部１１ａとを軸支している。
【００７４】
ローラー部１９は、ボールキャスタ１９ｃが用いられ、球状のボール部１９ａとボール部１９ａを内部に収納するケース部１９ｂを有し、ボール部１９ａの下端がベース板部１１ａの上面１１ｅと接するように配置され、ケース部１９ｂが底板部１３１の下面１３１ｃに装着されている。ボールキャスタ１９ｃは、底板部１３１の下面１３１ｃ側に、平面視において底板部１３１の軸孔１３１ｂを回転中心とした円周上に沿って四か所配置されるとともに、平面視において作業台部６が配設される前端縁に沿って三か所配置されている。
【００７５】
上述した構成により、縦支持部１３とベース部１１とが第一の軸部１８によって軸支され、作業台支持部５が回動可能に形成されている。
【００７６】
第一のストッパ２０は、図６、図７（ａ）、（ｂ）に示すように、第一のレバー部２１（特許請求の範囲の第一の係合部に相当する。）と、第一のガイド部２２と、止め部２８と、で構成されている。
【００７７】
第一のレバー部２１は、回動軸部２１ａと、フットレバー部２１ｂと、ロックレバー部２１ｃと、支持部２１ｄと、板バネ２１ｅと、で構成されている。
【００７８】
回動軸部２１ａは、挿通孔２１ｋを有した円筒状に形成されている。
【００７９】
フットレバー部２１ｂは、側面視において回動軸部２１ａから水平方向に延びた後に下方に屈曲する略Ｌ字状に突出して板バネ２１ｅと当接する当接部２１ｆと、当接部２１ｆからさらに水平方向に屈曲して足で踏み込み可能なペダル部２１ｇを有している。
【００８０】
ロックレバー部２１ｃは、側面視において回動軸部２１ａから上方に延びた後に水平方向に屈曲する逆Ｌ字状に突出して形成され、自由端側の端部が回動軸部２１ａ側より幅広で作業台支持部５を停止状態に維持するロックガイド部２１ｈとして形成されている。ロックガイド部２１ｈの回動軸部２１ａの軸心方向における両端部は第一のガイド部２２と当接する受け止め部２１ｌとして形成されている。
【００８１】
支持部２１ｄは、平面視において断面コ字状に形成され、ベース板部１１ａの側面に装着されている。支持部２１ｄの回動軸部２１ａの軸心方向に直交する面には、左右方向に沿って貫通する連結孔２１ｉが形成され、回動軸部２１ａの挿通孔２１ｋと支持部２１ｄの連結孔２１ｉを連通させて連通ピン２１ｊを挿通させることにより、回動軸部２１ａが支持部２１ｄに回動可能に支持されている。
【００８２】
板バネ２１ｅは、回動軸部２１ａの軸心方向からみて略Ｍ字状に形成され、支持部２１ｄから回動軸部２１ａと接して、フットレバー部２１ｂの当接部２１ｆにわたって配設され、図７（ａ）、（ｂ）においてフットレバー部２１ｂを時計回りに沿った方向に付勢するように形成されている。
【００８３】
止め部２８は、角筒状に形成され、ベース板部１１ａの上面１１ｅのロックレバー部２１ｃの下面と当接可能な位置に装着されている。
【００８４】
第一のガイド部２２は、長尺板状で底板部１３１の下面１３１ｃから下方に突出するように形成され、平面視において円弧状に形成された一対の円弧部２２ａと、平面視において略Ｌ字状に形成された一対のＬ字部２２ｂと、を備え、それぞれ平面視において左右対称となるように配置されている。
【００８５】
円弧部２２ａは、平面視において底板部１３１の軸孔１３１ｂを中心とする円周上に配置され、軸孔１３１ｂと反対側に位置する外周面２２ｃにおいてロックガイド部２１ｈが摺動可能に形成されている。円弧部２２ａの平面視における両端面はロックガイド部２１ｈと当接して停止させる受け止め部２２ｆとして形成されている。
【００８６】
Ｌ字部２２ｂは、前後方向に直交する面がロックガイド部２１ｈと当接して停止させる平面視において受け止め部２２ｄとして形成されている。受け止め部２２ｄは、円弧部２２ａと同心円周上及びその周辺に配置されている。
【００８７】
一対の円弧部２２ａの間、円弧部２２ａとＬ字部２２ｂの間の計三か所の間隙は、ロックガイド部２１ｈが挿入可能な間隔を有し、ロックガイド部２１ｈと係合可能な第一の被係合部２２ｅとして形成されている。
【００８８】
作業台回動手段８は、図５、図８、図９に示すように、第二の軸部２３と、ローラー部２４とで構成されている。
【００８９】
第二の軸部２３は、軸２３ａと、内部に軸２３ａが挿通される円筒状の軸受２３ｂと、ワッシャー２３ｃと、ナット２３ｄと、で構成されている。
【００９０】
軸２３ａは、上端部と下端部にネジ部を有した円柱状に形成されている。
【００９１】
軸受２３ｂは、作業台支持板５２の軸孔５２ｅと作業台部６の軸孔６２とを上下方向に挿通して、作業台支持板５２と作業台部６とを掛け渡すように配置されている。軸受２３ｂの内側を軸２３ａが挿通して配置され、作業台支持板５２の下面側でワッシャー２３ｃを介してナット２３ｄで締結され、作業台部６の上面側でワッシャー２３ｃを介して二つのナット２３ｄが配置されダブルナット止めされて、第二の軸部２３は作業台支持板５２と作業台部６とを軸支している。
【００９２】
ローラー部２４は、ボールキャスタ２４ｃが用いられ、球状のボール部２４ａとボール部２４ａを内部に収納するケース部２４ｂを有し、ボール部２４ａの下端が作業台支持板５２の上面５２ｈと接するように配置され、ケース部２４ｂが作業台部６の下面６３に装着されている。ボールキャスタ２４ｃは、作業台部６の下面６３側に、平面視において作業台部６の軸孔６２を回転中心とした円周上に沿って四か所配置されるとともに、平面視において作業台部６の前端側の中央部に補助的に一つ配置されている。
【００９３】
上述した構成により、作業台部６と、作業台支持部５とが第二の軸部２３によって軸支され、作業台部６が回動可能に形成されている。
【００９４】
第二のストッパ２５は、図９、図１０（ａ）、（ｂ）に示すように、第二のレバー部２６（特許請求の範囲の第二の係合部に相当する。）と、第二のガイド部２７と、止め部２９と、で構成されている。
【００９５】
第二のレバー部２６は、回動軸部２６ａと、ハンドレバー部２６ｂと、ロックレバー部２６ｃと、支持部２６ｄと、スプリング２６ｅと、で構成されている。
【００９６】
回動軸部２６ａは、大径部２６ｆと、両端部に大径部２６ｆより小径に形成された小径部２６ｎと、を有した円柱状に形成されている。
【００９７】
ハンドレバー部２６ｂは、回動軸部２６ａの小径部２６ｎの一方の端部と連結して回動軸部２６ａと一体に形成され、回動軸部２６ａの軸心方向に延びた後に正面視において下側に突出して、自由端側には手で握り可能なつかみ部２６ｇを有している。
【００９８】
ロックレバー部２６ｃは、回動軸部２６ａの軸心方向から見て回動軸部２６ａから上方に延びた後に水平方向に屈曲して逆Ｌ字状に突出して形成され、作業台支持板５２の挿通孔５２ｆを挿通するように配置されている。ロックレバー部２６ｃの自由端側の端部が回動軸部２６ａ側より幅広で作業台部６を停止状態に維持するロックガイド部２６ｈとして形成されている。ロックガイド部２６ｈの回動軸部２６ａの軸心方向における両端部は第二のガイド部２７と当接する受け止め部２６ｍとして形成されている。
【００９９】
支持部２６ｄは、挿通孔２６ｉを有した円筒状に形成され、取付部材２６ｋを介して作業台支持板５２の下面に一対装着され、回動軸部２６ａの両端部の小径部２６ｎを支持部２６ｄの挿通孔２６ｉにそれぞれ挿通させることにより、回動軸部２６ａが支持部２６ｄに回動可能に支持されている。スプリング２６ｅは、コイルばねが用いられ、作業台支持板５２の下面に固着された掛止部材２６ｌからハンドレバー部２６ｂにわたって配設され、図１０（ａ）、（ｂ）においてハンドレバー部２６ｂを時計回りに沿った方向に付勢するように形成されている。
【０１００】
第二のガイド部２７は、長尺板状で作業台部６の下面６３から下方に突出するように形成され、平面視において円弧状に形成された一対の円弧部２７ａと、平面視において直線状に形成された一対の直線部２７ｂと、を備え、それぞれ平面視において左右対称となるように配置されている。
【０１０１】
円弧部２７ａは、平面視において作業台部６の軸孔６２を中心とする円周上に配置され、軸孔６２と反対側に位置する外周面２７ｃにおいてロックガイド部２６ｈが摺動可能に形成されている。円弧部２７ａの平面視における両端面はロックガイド部２６ｈと当接して停止させる受け止め部２７ｆとして形成されている。
【０１０２】
直線部２７ｂは、前後方向に直交する端面がロックガイド部２６ｈと当接して停止させる受け止め部２７ｄとして形成されている。受け止め部２７ｄは、円弧部２７ａと同心円周上に配置されている。
【０１０３】
一対の円弧部２７ａの間、円弧部２７ａと直線部２７ｂの間の計三か所の間隙は、ロックガイド部２６ｈが挿入可能な間隔を有し、ロックガイド部２６ｈと係合可能な第二の被係合部２７ｅとして形成されている。
【０１０４】
次に、上述した構成の工事用足場１の組立手順を説明する。
【０１０５】
まず、ベランダ床面３ａにベース板部１１ａを設置して必要に応じて床面当接部１１ｂをベランダ床面３ａと当接させる。第一の軸部１８を介してベース板部１１ａと底板部１３１とを連結する。この際、底板部１３１と下縦支持枠１３２ａとを連結するとともに、補助支持枠１３３と下縦支持枠１３２ａとを連結する。上縦支持枠１３２ｂの上端部に押圧部１２を連結して、下縦支持枠１３２ａと上縦支持枠１３２ｂとを連結部材９により連結して基枠体部４を形成する、そして、作業台支持部５と縦支持部１３とを連結して、作業台支持部５と作業台部６とを連結する。この時、作業台支持部５及び作業台部６がベランダ手摺３ｃより室内側３ｅとなる位置で作業を行なう。手摺部１５を作業台部６の外周縁部の上面に装着する。そして、縦支持部１３を上下方向に沿った方向を回動軸として回転させ、作業台支持部５をベランダ手摺３ｃより室外側３ｆとなるように配置する。一対のジャッキ部１２１ａにより第一の押圧板部１２１ｂを上方向に移動させてベランダ天井壁３ｂを押圧するとともに、棒ジャッキ部１２２ｂにより第二の押圧板部１２２ａをそれぞれ上方向に移動させてベランダ天井壁３ｂを押圧し、ベランダ天井壁３ｂとベランダ床面３ａとの間に工事用足場１を固定する。階段部１７を、ベース板部１１ａから一対の下部柱３７に架け渡すように連結して、工事用足場１の設置が完了する。解体時には以上に説明した逆の手順の作業を行なう。
【０１０６】
工事用足場１の動作の説明をする。
【０１０７】
上記の組立手順により組み立てられた工事用足場１は、図１１の状態において、作業台支持部５が、ベランダ手摺３ｃよりベランダ３の室外側３ｆで作業者が作業を行なう際の作業位置で停止した状態にある。この時、回動手段７において、図７（ａ）に示すように、第一のガイド部２２の円弧部２２ａ間の第一の被係合部２２ｅに、第一のストッパ２０のロックガイド部２１ｈが入り込んでいる。
【０１０８】
つまり、図１１の状態にある時、板バネ２１ｅに付勢されたロックガイド部２１ｈが、第一の被係合部２２ｅに入り込んで、円弧部２２ａ間の受け止め部２２ｆ、２２ｆと、ロックガイド部２１ｈの受け止め部２１ｌ、２１ｌがそれぞれ当接して、作業台支持部５の軸１８ａを中心とする回動を制限するので、停止状態を維持することができる。
【０１０９】
また、作業台支持部５を図１２の状態まで回動させる際には、一対のジャッキ部１２１ａにより第一の押圧板部１２１ｂを下方向に移動させてベランダ天井壁３ｂへの押圧を解除するとともに、棒ジャッキ部１２２ｂにより第二の押圧板部１２２ａをそれぞれ下方向に移動させてベランダ天井壁３ｂへの押圧を解除する。そして、フットレバー部２１ｂを足で踏み込んで、図７（ｂ）の二点鎖線で示すように、ロックガイド部２１ｈを第一の被係合部２２ｅから脱出させて、作業台支持部５の軸１８ａを中心とする回動の制限を解除する。その後、縦支持部１３を軸１８ａを中心として回動させる。軸１８ａは、上下方向に沿った方向に配置されているので縦支持部１３を回動させると、縦支持部１３と一体化している押圧部１２、作業台支持部５及び作業台部６も、上下方向に沿った方向を回動軸として回動する。
【０１１０】
この時、第一のガイド部２２の外周面２２ｃが、板バネ２１ｅにより付勢されたロックガイド部２１ｈに接しながら移動する。図６における第一のガイド部２２の左側となる端部の第一の被係合部２２ｅの位置までくると板バネ２１ｅの付勢力によりロックガイド部２１ｈが、その第一の被係合部２２ｅに入り込む。
【０１１１】
つまり、作業台支持部５が図１２の状態において、板バネ２１ｅに付勢されたロックガイド部２１ｈが、円弧部２２ａとＬ字部２２ｂとの間の第一の被係合部２２ｅに入り込んで、円弧部２２ａの受け止め部２２ｆ及びＬ字部２２ｂの受け止め部２２ｄと、ロックガイド部２１ｈの受け止め部２１ｌ、２１ｌがそれぞれ当接して、作業台支持部５の、軸１８ａを中心とする回動を制限するので停止状態を維持することができる。
【０１１２】
以上のことより、図１１乃至１４に示すように、雨とい３５が上下方向に沿ってベランダ手摺３ｃ付近に配設されている場合に、作業台支持部５を回動させてベランダ手摺３ｃよりベランダ３の室内側３ｅに配置して雨とい３５を回避しつつ、作業台支持部５の軸１８ａを中心とする回動を制限可能となり雨とい３５との干渉を防止して、工事用足場１のベランダ３内での移動を容易にする。
【０１１３】
また、図１１、図１２の状態では、作業台部６が、作業台支持部５に対して直交した位置で停止した状態にある。この時、作業台回動手段８において、第二のガイド部２７の円弧部２７ａ間の第二の被係合部２７ｅに、第二のストッパ２５のロックガイド部２６ｈが入り込んでいる。
【０１１４】
つまり、作業台部６が図１１、図１２の状態にある時、図１１（ａ）に示すように、スプリング２６ｅに付勢されたロックガイド部２６ｈが、第二のガイド部２７の中央部の第二の被係合部２７ｅに入り込んで円弧部２７ａ間の受け止め部２７ｆ、２７ｆと、ロックガイド部２６ｈの受け止め部２６ｍ、２６ｍがそれぞれ当接して、作業台支持部５の、軸２３ａを中心とする回動を制限するので停止状態を維持することができる。
【０１１５】
また、作業台部６を図１４の位置まで回動させる際には、図１２（ｂ）の二点鎖線に示すように、ハンドレバー部２６ｂを手で引っ張りロックガイド部２６ｈを第二の被係合部２７ｅから脱出させ、作業台部６の軸２３ａを中心とする回動の制限を解除する。そして、作業台部６を軸２３ａを中心として回動させる。軸２３ａは、上下方向に沿った方向に配置されているので、作業台部６は上下方向に沿った方向を回動軸として回動する。
【０１１６】
この状態における図１３においては、第二のガイド部２７の外周面２７ｃが、スプリング２６ｅにより付勢されたロックガイド部２６ｈ接しながら移動する。図９における第二のガイド部２７の右側となる端部の第二の被係合部２７ｅの位置までくるとスプリング２６ｅの付勢力によりロックガイド部２６ｈが、第二のガイド部２７のいずれかの端部の第二の被係合部２７ｅに入り込む。
【０１１７】
つまり、作業台支持部５が図１４の状態において、スプリング２６ｅに付勢されたロックガイド部２６ｈが、円弧部２７ａと直線２７ｂ部との間の第二の被係合部２７ｅに入り込んで、円弧部２７ａの受け止め部２７ｆ及び直線部２７ｂの受け止め部２７ｄ、ロックガイド部２６ｈの受け止め部２６ｍ、２６ｍがそれぞれ当接して、作業台部６の、軸２３ａを中心とする回動を制限するので停止状態を維持することができる。
【０１１８】
以上のことより、作業台部６がベランダ室内側壁３ｇと干渉するような場合に、作業台部６を回動させてベランダ室内側壁３ｇと平行となるように配置してベランダ室内側壁３ｇを回避しつつ、作業台部６の軸２３ａを中心とする回動を制限可能となり、工事用足場１のベランダ３内での移動を容易にする。
【０１１９】
工事用足場１の動作は上述したものに限られない。ベランダ３がクランク状に屈曲しているような場合において、作業台支持部５を回動させつつ、作業台部６を回動させて、工事用足場１のベランダ３内での移動をフレキシブルに対応させることができる。
【０１２０】
上述したように、工事用足場１は、基枠体部４と、作業台支持部５と、作業台部６と、を備え、基枠体部４は、ベランダ手摺３ｃよりベランダ３の室内側３ｅに配置され、ベランダ床面３ａに当接するベース部１１と、ベランダ天井壁３ｂ側に配置されベランダ天井壁３ｂと当接可能な押圧部１２と、ベース部１１と押圧部１２との間に配置される縦支持部１３と、を有し、作業台支持部５は、縦支持部１３に支持されベランダ手摺３ｃよりベランダ３の室外側３ｆに延びて配設され、作業台部６は、作業台支持部５に支持され、作業台支持部５を上下方向に沿った方向を回動軸としてベランダ３の室内側３ｅに回動可能とする回動手段７を有している。
【０１２１】
この回動手段７により、作業台支持部５を回動させることによって、工事用足場１のベランダ手摺３ｃよりベランダ３の室外側３ｆに突出した部分をベランダ手摺３ｃよりベランダ３の室内側３ｅに配置可能となり、工事用足場１の室外側３ｆに突出する作業台支持部５と干渉する障害物がベランダ手摺３ｃ付近に配設されている場合でも工事用足場１のベランダ３内での移動を容易にすることができる。
【０１２２】
また、縦支持部１３を、ベース板部１１ａの上面１１ｅと対向する底板部１３１を有する構成とし、回動手段７を、底板部１３１と、ベース板部１１ａとが第一の軸部１８によって軸支される構成とし、縦支持部１３を回動可能にすることによって、縦支持部１３に支持された作業台支持部５を回動させ、工事用足場１のベランダ３内での移動を容易にしている。
【０１２３】
また、作業台支持部５を、縦支持部１３に支持される支持枠５１と、支持枠５１に支持され作業台部６の下面６３と対向する作業台支持板５２と、を有する構成とし、作業台部６を上下方向に沿った方向を回動軸として回動可能とする作業台回動手段８を有する構成とし、作業台回動手段８を、作業台部６と、作業台支持板５２とが第二の軸部２３によって軸支する構成としている。
【０１２４】
これにより、作業台部６を回動可能にすることによって、特に、作業台支持部５及び作業台部６をベランダ手摺３ｃよりベランダ３の室内側３ｅに配置した際、作業台部６がベランダ室内側壁３ｇと干渉するような場合に、作業台部６を回動させて干渉を防ぎ、工事用足場１のベランダ３内での移動を容易にすることができる。
【０１２５】
また、回動手段７には、作業台支持部５の回動を停止させる第一のストッパ２０が配設され、第一のストッパ２０は、ベース板部１１ａに、第一の係合部が配設され、底板部１３１に第一の係合部と係合可能な第一の被係合部２２ｅが配設され、第一の係合部と、第一の被係合部２２ｅとを係合させることにより作業台支持部５の回動を停止させることとしている。
【０１２６】
また、作業台回動手段８には、作業台部６の回動を停止させる第二のストッパ２５が配設され、第二のストッパ２５は、作業台支持板５２に、第二の係合部が配設され、作業台部６に第二の係合部と係合可能な第二の被係合部２７ｅが配設され、第二の係合部と、第二の被係合部２７ｅとを係合させることにより作業台部６の回動を停止させることとしている。
【０１２７】
これにより、作業を行なう際の位置及びベランダ３内を移動する際の位置等の所定の位置に作業台支持部５及び作業台部６が停止可能となるので、工事用足場１の姿勢を安定させることができ、作業時の安全性を高めることができる。
【０１２８】
また、工事用足場１の組立分解を、ベランダ手摺３ｃより室内側３ｅの位置でできるので、組立分解作業時の安全性を確保することができる。
【０１２９】
また、作業台支持部５を上下方向に沿った方向を軸として回動させることにより、作業台部６の回動範囲外に縦支持部１３を配置できるように作業台支持部５で作業台部６を支持することで、左右方向に沿った方向を回動軸として回動させベランダ３の室内側３ｅに回動可能とする場合に比して、作業台部６の長手方向のサイズの設定自由度を比較的に高くすることができる。
【０１３０】
本発明の第二の実施形態を説明する。第一の実施形態と同じ構成については説明を省略する。
【０１３１】
本実施形態においては、図１５に示すように、工事用足場１Ａは、回動手段７Ａが配設されている。回動手段７Ａは、縦支持部１３と、押圧部１２とが第三の軸部３２によって軸支されていることを特徴とする。
【０１３２】
縦支持部１３は、上端部にベランダ天井壁３ｂと対向する天板部１３４を備え、押圧部１２は、一対のジャッキ部１２ａを連結するとともに天板部１３４とベランダ天井壁３ｂ側で対向して配置される回転支持板部３０を備え、回動手段７Ａは、縦支持部１３の天板部１３４と押圧部１２の回転支持板部３０とが第一の軸部１８と同じ構成を有する第三の軸部３２によって軸支されて構成されている。この場合、ローラー部１９と、第一のガイド部２２とを天板部１３４側に配設して、第一のレバー部２１を回転支持板部３０側に配設して、上記の回動手段７の各構成の上下を逆に配設して構成する。
【０１３３】
これにより、ベランダ手摺３ｃより室内側３ｅの位置で、ベランダ天井壁３ｂを押圧した状態で作業台支持部５が支持された縦支持部１３を回動させることが可能となり、工事用足場１Ａの作業の安全性を高めることができる。
【０１３４】
本発明の第三の実施形態を説明する。第一の実施形態と同じ構成については説明を省略する。本実施形態においては、図１６に示すように、工事用足場１Ｂは、回動手段７Ｂが配設されている。回動手段７Ｂは、作業台支持部５と、上縦支持枠１３２ｂ及び下縦支持枠１３２ａとが軸３１に軸支されて構成されていることを特徴としている。
【０１３５】
一対の下縦支持枠１３２ａの上端部に矩形平板状の天板部１３５を架け渡して配置して、一対の上縦支持枠１３２ｂの下端部に矩形平板の底板部１３６を架け渡して配置する。作業台支持部５の一対の支持枠５１の後側上端部に上縦支持枠１３２ｂの底板部１３６に対応した矩形平板状の天板部１３７を架け渡して配置して、一対の支持枠５１の後ろ側下端部に下縦支持枠１３２ａの天板部１３５に対応した矩形平板の底板部１３８を架け渡して配置する。そして、ベース板部１１ａ及び連結板１２１ｇに支持された軸３１によって作業台支持部５と、上縦支持枠１３２ｂ及び下縦支持枠１３２ａとを軸支して、対向する天板部１３５と底板部１３８、天板部１３７と底板部１３６をそれぞれ摺動させて回動可能に形成する。
【０１３６】
天板部１３５と底板部１３６、天板部１３７と底板部１３８それぞれに互いに対応する位置に上下方向に貫通する孔を形成してそれぞれの孔を対向させてノックピンを挿通させてストッパとして構成してもよい。
【０１３７】
これにより、押圧部１２でベランダ天井壁３ｂを押圧しながら作業台支持部５を上下方向に沿った方向を軸として回動させることが可能となり、作業台支持部５及び作業台部６をベランダ手摺３ｃよりベランダ３の室内側３ｅに配置する際の安全性を高めることができる。
【０１３８】
回動手段７、７Ａ、７Ｂの構成は、上述したものに限られない。作業台支持部５を回動可能とするものであれば、適宜既存の部材を用いて構成することができる。
【０１３９】
第一のストッパ２０、第二のストッパ２５の構成は、上述したものに限られない。作業台支持部５を停止状態にできるのであれば、適宜既存の部材を用いて構成することができる。
【０１４０】
第一の被係合部２２ｅ及び第二の被係合部２７ｅは、下側の端面から上側に向かって矩形状に切り欠いて形成することもできる。
【符号の説明】
【０１４１】
１  工事用足場
２  建築物
３  ベランダ
３ａ  ベランダ床面
３ｂ  ベランダ天井壁
３ｃ  ベランダ手摺
３ｅ  室外側
３ｆ  室外側
４  基枠体部
５  作業台支持部
５１  支持枠
５２  作業台支持板
６  作業台部
６３  下面
７  回動手段
８  作業台回動手段
１１  ベース部
１１ａ  ベース板部
１１ｅ  上面
１２  押圧部
１２ａ  ジャッキ部
１２ｂ  押圧板部
１３  縦支持部
１３１  底板部
１８  第一の軸部
２０  第一のストッパ
２１  第一のレバー部
２２ｅ  第一の被係合部
２３  第二の軸部
２５  第二のストッパ
２６  第二のレバー部
２７ｅ  第二の被係合部
【図１】
0005643248.tif 000002
【図２】
0005643248.tif 000003
【図３】
0005643248.tif 000004
【図４】
0005643248.tif 000005
【図５】
0005643248.tif 000006
【図６】
0005643248.tif 000007
【図７】
0005643248.tif 000008
【図８】
0005643248.tif 000009
【図９】
0005643248.tif 000010
【図１０】
0005643248.tif 000011
【図１１】
0005643248.tif 000012
【図１２】
0005643248.tif 000013
【図１３】
0005643248.tif 000014
【図１４】
0005643248.tif 000015
【図１５】
0005643248.tif 000016
【図１６】
0005643248.tif 000017